(57)【要約】【課題】主に各種電子機器の操作に用いられるタッチパネルに関し、誤操作を防ぎ、確実な操作が可能なものを提供することを目的とする。【解決手段】上基板１下面の上導電層３の中間部に線状の絶縁溝１３を形成すると共に、この上導電層３の両端から延出する複数の一対ずつの上電極１１Ａ、１１Ｂと上電極１２Ａ、１２Ｂを設けることによって、急激な温度変化によって、上導電層３下面等に結露が発生した場合にも、複数の上電極１１Ａと１２Ａ、あるいは上電極１１Ｂと１２Ｂ間の絶縁抵抗値の変化から、上導電層３の絶縁溝１３に生じた水滴を検出することができるため、背面の表示素子の表示が見づらくなった状態での誤操作を防ぎ、確実な操作が可能なタッチパネルを得ることができる。【選択図】図１
2012022357.tif 000002
【特許請求の範囲】
【請求項１】
下面に上導電層が形成された光透過性の上基板と、上面に上記上導電層と所定の間隙を空けて対向する下導電層が形成された光透過性の下基板からなり、上記上導電層の中間部に線状の絶縁溝を設けると共に、上記上導電層の両端から延出する複数の一対ずつの上電極を形成したタッチパネル。
【請求項２】
下面に上導電層が形成された光透過性の上基板と、上面に上記上導電層と所定の間隙を空けて対向する下導電層が形成された光透過性の下基板からなり、上記上導電層の中間部に、内方から検知電極が延出する略コの字状の絶縁溝を設けると共に、上記上導電層の端部から延出する上電極と、これと対向する端部から延出する複数の上電極を形成したタッチパネル。
【発明の詳細な説明】
【技術分野】
【０００１】
本発明は、主に各種電子機器の操作に用いられるタッチパネルに関するものである。
【背景技術】
【０００２】
近年、携帯電話や電子カメラ等の各種電子機器の高機能化や多様化が進むなか、液晶表示素子等の表示素子の前面に光透過性のタッチパネルを装着し、このタッチパネルを通して背面の表示素子の表示を見ながら、指やペン等でタッチパネルを押圧操作することによって、機器の様々な機能の切換えを行うものが増えており、確実で、多様な操作を行えるものが求められている。
【０００３】
このような従来のタッチパネルについて、図７及び図８を用いて説明する。
【０００４】
なお、これらの図面は構成を判り易くするために、部分的に寸法を拡大して表している。
【０００５】
図７は従来のタッチパネルの断面図、図８は同分解斜視図であり、同図において、１はフィルム状で光透過性の上基板、２はガラス等の光透過性の下基板で、上基板１の下面全面には酸化インジウム錫等の光透過性の上導電層３が、下基板２の上面全面には同じく下導電層４が各々形成されている。
【０００６】
また、上導電層３の左右端部には銀等の一対の上電極５Ａと５Ｂが、下導電層４の上導電層３とは直交方向の前後端部には、一対の下電極６Ａと６Ｂが各々形成されると共に、この上電極５Ａ、５Ｂや下電極６Ａ、６Ｂの端部が、上基板１や下基板２の外周前端部に延出している。
【０００７】
そして、上基板１の上電極５Ａ、５Ｂの前内方や前端部の間には、レーザカット加工等によって上導電層３が取除かれた略Ｔ字状の絶縁溝７が、下電極６Ａ、６Ｂの右内方や前端部の間には、同じく下導電層４が取除かれた略Ｌ字状の絶縁溝８が各々形成され、これらの絶縁溝７や８によって、各電極間の絶縁が保たれるようになっている。
【０００８】
さらに、下導電層４上面には絶縁樹脂によって、複数のドットスペーサ（図示せず）が所定間隔で形成されると共に、上基板１と下基板２間の外周内縁には略額縁状で絶縁樹脂製のスペーサ９が設けられ、このスペーサ９の上下面または片面に塗布形成された接着剤（図示せず）によって、上基板１と下基板２の外周が貼り合わされ、上導電層３と下導電層４が所定の間隙を空けて対向して、タッチパネルが構成されている。
【０００９】
そして、このように構成されたタッチパネルが、液晶表示素子等の表示素子の前面に配置されて電子機器に装着されると共に、一対の上電極５Ａ、５Ｂと下電極６Ａ、６Ｂの端部が配線基板やコネクタ（図示せず）等を介して、機器の電子回路（図示せず）に電気的に接続される。
【００１０】
以上の構成において、タッチパネル背面の表示素子の表示に応じて、上基板１上面を指或いはペン等で押圧操作すると、上基板１が撓み、押圧された箇所の上導電層３が下導電層４に接触する。
【００１１】
そして、電子回路から一対の上電極５Ａと５Ｂや下電極６Ａと６Ｂへ順次電圧が印加され、上導電層３両端及びこれと直交方向の下導電層４両端の電圧比によって、押圧された箇所を電子回路が検出し、機器の様々な機能の切換えが行われる。
【００１２】
つまり、タッチパネル背面の表示素子に、例えば複数のメニュー等が表示された状態で、所望のメニュー上の上基板１上面を押圧操作すると、上電極５Ａと５Ｂ及び下電極６Ａと６Ｂ間の電圧比によって、この操作した位置を電子回路が検出し、複数のメニューの中から所望のメニューの選択等が行えるように構成されているものであった。
【００１３】
なお、この出願の発明に関連する先行技術文献情報としては、例えば、特許文献１が知られている。
【先行技術文献】
【特許文献】
【００１４】
【特許文献１】特開２００７−３１０４４０号公報
【発明の概要】
【発明が解決しようとする課題】
【００１５】
しかしながら、上記従来のタッチパネルにおいては、携帯電話や電子カメラ等の持ち運びが可能な携帯機器や、自動車のカーナビ等に用いられ、特に高温高湿の状態から急に室温あるいは低温に冷却された場合、上導電層３と下導電層４間の間隙内の空気が冷やされ、この水分が上導電層３下面等に結露となって水滴が付着してしまい、これによってタッチパネル背面の表示素子の表示が見づらくなり、誤操作も生じ易くなってしまう場合があるという課題があった。
【００１６】
本発明は、このような従来の課題を解決するものであり、誤操作を防ぎ、確実な操作が可能なタッチパネルを提供することを目的とする。
【課題を解決するための手段】
【００１７】
上記目的を達成するために本発明は、以下の構成を有するものである。
【００１８】
本発明の請求項１に記載の発明は、上基板下面の上導電層の中間部に線状の絶縁溝を設けると共に、この上導電層の両端から延出する複数の一対ずつの上電極を形成してタッチパネルを構成したものであり、急激な温度変化によって、上導電層下面等に結露が発生した場合にも、複数の上電極間の絶縁抵抗値の変化から、上導電層の絶縁溝に生じた水滴を検出することができるため、背面の表示素子の表示が見づらくなった状態での誤操作を防ぎ、確実な操作が可能なタッチパネルを得ることができるという作用を有する。
【００１９】
請求項２に記載の発明は、上導電層の中間部に、内方から検知電極が延出する略コの字状の絶縁溝を設けると共に、上導電層の端部から延出する上電極と、これと対向する端部から延出する複数の上電極を形成してタッチパネルを構成したものであり、検知電極と上電極間の絶縁抵抗値の変化から、絶縁溝に生じた結露を検出することができるため、誤操作を防ぎ、確実な操作が可能なタッチパネルを得ることができるという作用を有する。
【発明の効果】
【００２０】
以上のように本発明によれば、誤操作を防ぎ、確実な操作が可能なタッチパネルを実現することができるという有利な効果が得られる。
【図面の簡単な説明】
【００２１】
【図１】本発明の第１の実施の形態によるタッチパネルの断面図
【図２】同分解斜視図
【図３】同分解斜視図
【図４】本発明の第２の実施の形態によるタッチパネルの断面図
【図５】同分解斜視図
【図６】同分解斜視図
【図７】従来のタッチパネルの断面図
【図８】同分解斜視図
【発明を実施するための形態】
【００２２】
以下、本発明の実施の形態について、図１〜図６を用いて説明する。
【００２３】
なお、これらの図面は構成を判り易くするために、部分的に寸法を拡大して表している。
【００２４】
また、背景技術の項で説明した構成と同一構成の部分には同一符号を付して、詳細な説明を簡略化する。
【００２５】
（実施の形態１）
実施の形態１を用いて、本発明の特に請求項１記載の発明について説明する。
【００２６】
図１は本発明の第１の実施の形態によるタッチパネルの断面図、図２は同分解斜視図であり、同図において、１はポリエチレンテレフタレートやポリエーテルサルホン、ポリカーボネート等のフィルム状で光透過性の上基板、２は同じくフィルム状またはガラスやアクリル等の薄板状で光透過性の下基板で、上基板１の下面全面には酸化インジウム錫や酸化錫等の光透過性の上導電層３が、下基板２の上面全面には同じく下導電層４が、各々スパッタ法等によって形成されている。
【００２７】
そして、上導電層３の左右端部には、前半分に銀やカーボン等の一対の上電極１１Ａと１１Ｂが、後半分に同じく一対の上電極１２Ａと１２Ｂが各々印刷等によって形成されると共に、この複数の一対ずつの上電極１１Ａ、１１Ｂと上電極１２Ａ、１２Ｂの端部が、上基板１の外周前端部に延出している。
【００２８】
さらに、上基板１下面の上電極１１Ａ、１１Ｂの前内方や前端部の間には、レーザカット加工等によって、上導電層３が取除かれた略Ｔ字状の絶縁溝７が設けられると共に、上導電層３の中間部には、上電極１１Ａ、１１Ｂと上電極１２Ａ、１２Ｂの間から端部が上基板１の外周前端部に延出する、同じく上導電層３が取除かれた線状で幅０．１ｍｍ前後の絶縁溝１３が形成されている。
【００２９】
また、下導電層４の上導電層３とは直交方向の前後端部には、端部が下基板２の外周前端部に延出する、銀やカーボン等の一対の下電極６Ａと６Ｂが印刷等によって形成されると共に、下電極６Ａ、６Ｂの右内方や前端部の間には、レーザカット加工等によって下導電層４が取除かれた略Ｌ字状の絶縁溝８が設けられ、これらの絶縁溝７や１３、８によって、各電極間の絶縁が保たれるようになっている。
【００３０】
さらに、下導電層４上面にはエポキシやシリコーン等の絶縁樹脂によって、複数のドットスペーサ（図示せず）が所定間隔で形成されると共に、上基板１と下基板２間の外周内縁には、略額縁状でポリエステルやエポキシ、不織布等の絶縁樹脂製のスペーサ９が設けられ、このスペーサ９の上下面または片面に塗布形成されたアクリルやゴム等の接着剤（図示せず）によって、上基板１と下基板２の外周が貼り合わされ、上導電層３と下導電層４が所定の間隙を空けて対向して、タッチパネルが構成されている。
【００３１】
そして、このように構成されたタッチパネルが、液晶表示素子等の表示素子の前面に配置されて電子機器に装着されると共に、一対の上電極１１Ａ、１１Ｂと上電極１２Ａ、１２Ｂ、下電極６Ａ、６Ｂの端部が配線基板やコネクタ（図示せず）等を介して、機器の電子回路（図示せず）に電気的に接続される。
【００３２】
以上の構成において、別途設けられたスイッチ（図示せず）等によって機器の電源が入れられると、電子回路から各電極に所定の電圧、例えばＤＣ５Ｖの電圧が印加される。
【００３３】
そして、電子回路が先ず、上導電層３中間部の絶縁溝１３によって隔てられた上電極間、例えば上電極１１Ａと１２Ａ、あるいは上電極１１Ｂと１２Ｂの間の絶縁抵抗を検出し、その値が所定値、例えば１０ＭΩ以下であるか否かを判別して、１０ＭΩ以下である場合には、タッチパネル背面の表示素子に、例えば「しばらくお待ち下さい」等の、所定のエラーメッセージを表示し、この後、これらの上電極間の絶縁抵抗値が１０ＭΩを超えるまでは、各電極への電圧印加を中断する。
【００３４】
つまり、このようなタッチパネルが携帯電話や電子カメラ等の持ち運びが可能な携帯機器や、自動車のカーナビ等に用いられ、特に高温高湿の状態から急に室温あるいは低温に冷却されて、この水分が結露となって上導電層３下面等に水滴が付着した場合、絶縁溝１３によって隔てられた上電極間の絶縁抵抗値によって、電子回路がこれらの結露を検出できるようになっている。
【００３５】
すなわち、上導電層３の前半分と後半分は、絶縁溝１３によって隔てられ絶縁されているため、通常の状態であれば、上電極１１Ａと１２Ａや上電極１１Ｂと１２Ｂの間の絶縁抵抗は所定値以上となっているが、結露が生じ絶縁溝１３に水滴が付着した場合には、この水滴によって上導電層３の前半分と後半分が短絡され、上記のように絶縁抵抗が所定値以下となってしまう。
【００３６】
このため、上記のように電子回路が、上電極１１Ａと１２Ａ、あるいは上電極１１Ｂと１２Ｂの間の絶縁抵抗を検出することで、結露の有無を判別することができると共に、結露が生じた場合には、背面の表示素子にエラーメッセージ等を表示することによって、上導電層３下面等に水滴が付着し背面の表示が見づらくなった状態での、誤った操作が行われることを防ぐように構成されている。
【００３７】
また、結露がなくタッチパネル背面の表示素子の表示が明瞭に見える状態で、この表示に応じて、上基板１上面を指或いはペン等で押圧操作すると、上基板１が撓み、押圧された箇所の上導電層３が下導電層４に接触する。
【００３８】
そして、電子回路から一対の上電極１１Ａと１１Ｂや上電極１２Ａと１２Ｂ、下電極６Ａと６Ｂへ順次電圧が印加され、上導電層３両端及びこれと直交方向の下導電層４両端の電圧比によって、押圧された箇所を電子回路が検出し、機器の様々な機能の切換えが行われる。
【００３９】
つまり、下導電層４前後端部の下電極６Ａと６Ｂに電圧が印加された状態で、上基板１上面の前半分が押圧操作された場合には、上電極１１Ａや１１Ｂからの電圧によって、後半分が押圧操作された場合には、上電極１２Ａや１２Ｂからの電圧によって、前後方向の押圧位置を電子回路が各々検出する。
【００４０】
あるいは、上電極１１Ａと１１Ｂ、上電極１２Ａと１２Ｂに電圧が印加された状態で、上基板１上面が押圧操作された場合には、下電極６Ａや６Ｂからの電圧によって、左右方向の押圧位置を電子回路が検出する。
【００４１】
すなわち、タッチパネル背面の表示素子に、例えば複数のメニュー等が表示された状態で、所望のメニュー上の上基板１上面を押圧操作すると、上電極１１Ａと１１Ｂや上電極１２Ａと１２Ｂ、下電極６Ａと６Ｂ間の電圧比によって、この操作した位置を電子回路が検出して、複数のメニューの中から所望のメニューの選択等が行えるように構成されている。
【００４２】
そして、上述したように、高温高湿の状態から急に室温あるいは低温に冷却され、上導電層３と下導電層４間の間隙内の空気が冷やされて、この水分が上導電層３下面等に結露となって水滴が付着した場合にも、絶縁溝１３によって隔てられた上電極１１Ａと１２Ａや上電極１１Ｂと１２Ｂの間の絶縁抵抗値によって、これらの結露を電子回路が検出できるようになっている。
【００４３】
このように本実施の形態によれば、上基板１下面の上導電層３の中間部に線状の絶縁溝１３を形成すると共に、この上導電層３の両端から延出する複数の一対ずつの上電極１１Ａ、１１Ｂと上電極１２Ａ、１２Ｂを設けることによって、急激な温度変化によって、上導電層３下面等に結露が発生した場合にも、複数の上電極１１Ａと１２Ａ、あるいは上電極１１Ｂと１２Ｂ間の絶縁抵抗値の変化から、上導電層３の絶縁溝１３に生じた水滴を検出することができるため、背面の表示素子の表示が見づらくなった状態での誤操作を防ぎ、確実な操作が可能なタッチパネルを得ることができるものである。
【００４４】
なお、以上の説明では、上基板１下面の上導電層３の左右端部に、複数の一対ずつの上電極１１Ａ、１１Ｂと上電極１２Ａ、１２Ｂを設けた構成について説明したが、図３の分解斜視図に示すように、上導電層３の前後端部に、複数の一対ずつの上電極１１Ｃ、１１Ｄと上電極１２Ｃ、１２Ｄを設けた構成としても、本発明の実施は可能である。
【００４５】
つまり、同図においては、上導電層３の左半分に一対の上電極１１Ｃと１１Ｄが、右半分に一対の上電極１２Ｃと１２Ｄが設けられると共に、これらの間や内方にはレーザカット加工等によって、上導電層３が取除かれた略Ｌ字状の絶縁溝１４Ａと１４Ｂが、上導電層３の中間部には、同じく線状の絶縁溝１５が形成されている。
【００４６】
また、下導電層４の上導電層３とは直交方向の左右端部には、一対の下電極１６Ａと１６Ｂが形成されると共に、これらの間や内方には下導電層４が取除かれた略Ｔ字状の絶縁溝１７が設けられ、上基板１と下基板２がスペーサ９によって貼り合わされ、上導電層３と下導電層４が所定の間隙を空けて対向した構成となっている。
【００４７】
そして、この場合には、絶縁溝１５によって隔てられた、上電極１１Ｃと１２Ｃや上電極１１Ｄと１２Ｄの間の絶縁抵抗値によって結露の検出が、上電極１１Ｃや１１Ｄ、上電極１２Ｃや１２Ｄ、下電極１６Ａや１６Ｂからの電圧によって押圧位置の検出が、電子回路によって各々行われるようになっている。
【００４８】
（実施の形態２）
実施の形態２を用いて、本発明の特に請求項２記載の発明について説明する。
【００４９】
なお、実施の形態１の構成と同一構成の部分には同一符号を付して、詳細な説明を省略する。
【００５０】
図４は本発明の第２の実施の形態によるタッチパネルの断面図、図５は同分解斜視図であり、同図において、光透過性の上基板１下面に上導電層３が、光透過性の下基板２上面に下導電層４が各々形成されていることは、実施の形態１の場合と同様であるが、上導電層３の左端部には、端部が上基板１の外周前端部に延出する上電極１８が設けられている。
【００５１】
そして、これと対向する上導電層３の右端部には、前半分から延出する上電極１９Ａと、後半分から延出する上電極１９Ｂが設けられると共に、これらの間に検知電極２０が形成されている。
【００５２】
さらに、上電極１８と上電極１９Ａの前内方や前端部の間には、レーザカット加工等によって、上導電層３が取除かれた略Ｔ字状の絶縁溝２１が設けられると共に、上導電層３の中間部には、内方から検知電極２０が延出する略コの字状で幅０．１ｍｍ前後の絶縁溝２２が形成され、この端部が上電極１９Ａと検知電極２０、及び検知電極２０と上電極１９Ｂの間から、上基板１の外周前端部に延出している。
【００５３】
なお、下導電層４の上導電層３とは直交方向の前後端部には、一対の下電極６Ａと６Ｂが形成されると共に、これらの右内方や前端部の間に、下導電層４が取除かれた略Ｌ字状の絶縁溝８が設けられていることや、略額縁状のスペーサ９によって、上基板１と下基板２の外周が貼り合わされ、上導電層３と下導電層４が所定の間隙を空けて対向して、タッチパネルが構成されていることは実施の形態１の場合と同様である。
【００５４】
そして、このように構成されたタッチパネルが、実施の形態１の場合と同様に、液晶表示素子等の表示素子の前面に配置されて電子機器に装着されると共に、上電極１８及び、これと対向した上電極１９Ａと１９Ｂ、検知電極２０、一対の下電極６Ａと６Ｂの端部が機器の電子回路に電気的に接続され、別途設けられたスイッチ（図示せず）等によって機器が起動すると、電子回路から各電極に所定の電圧、例えばＤＣ５Ｖの電圧が印加される。
【００５５】
また、この時、電子回路が先ず、上導電層３中間部の絶縁溝２２によって隔てられた検知電極２０と上電極１９Ａ、１９Ｂの間の絶縁抵抗を検出し、その値が所定値、例えば１０ＭΩ以下であるか否かを判別して、１０ＭΩ以下である場合には、タッチパネル背面の表示素子に所定のエラーメッセージを表示し、この後、これらの電極間の絶縁抵抗値が１０ＭΩを超えるまでは、各電極への電圧印加を中断する。
【００５６】
つまり、本実施の形態においては、このようなタッチパネルが高温高湿の状態から急に室温あるいは低温に冷却されて、この水分が結露となって上導電層３下面等に水滴が付着した場合、絶縁溝２２によって隔てられた検知電極２０と、上電極１９Ａ、１９Ｂ間の絶縁抵抗値によって、電子回路がこれらの結露を検出できるようになっている。
【００５７】
すなわち、結露が生じ絶縁溝２２に水滴が付着した場合には、この水滴によって上導電層３の絶縁溝２２内方と前半分や後半分が短絡され、検知電極２０と上電極１９Ａ、１９Ｂ間の絶縁抵抗値が変化するため、これを電子回路が検出することで、結露の有無を判別することができると共に、結露が生じた場合には、背面の表示素子にエラーメッセージ等を表示することによって、上導電層３下面等に水滴が付着し背面の表示が見づらくなった状態での、誤った操作が行われることを防ぐように構成されている。
【００５８】
また、結露のない状態で、タッチパネル背面の表示素子の表示に応じて、上基板１上面を指或いはペン等で押圧操作すると、上基板１が撓み、押圧された箇所の上導電層３が下導電層４に接触すると共に、電子回路から上電極１８と上電極１９Ａ、１９Ｂや一対の下電極６Ａと６Ｂへ順次電圧が印加され、上導電層３両端及びこれと直交方向の下導電層４両端の電圧比によって、押圧された箇所を電子回路が検出し、機器の様々な機能の切換えが行われる。
【００５９】
つまり、タッチパネル背面の表示素子に、例えば複数のメニュー等が表示された状態で、所望のメニュー上の上基板１上面を押圧操作すると、上電極１８と上電極１９Ａ、１９Ｂや下電極６Ａと６Ｂ間の電圧比によって、この操作した位置を電子回路が検出して、複数のメニューの中から所望のメニューの選択等が行えるように構成されている。
【００６０】
すなわち、本実施の形態においては、略コの字状の絶縁溝２２によって隔てられた、検知電極２０と上電極１９Ａ、１９Ｂの間の絶縁抵抗値によって結露の検出が、上電極１８と上電極１９Ａ、１９Ｂや下電極６Ａと６Ｂからの電圧によって押圧位置の検出が、電子回路によって各々行われるようになっている。
【００６１】
なお、以上の説明では、スイッチ等によって機器が起動した直後に、電子回路が各電極間の絶縁抵抗値を検出する構成として説明したが、所定の時間間隔で定期的に、上基板１が押圧操作されていない時に、電子回路が各電極間の絶縁抵抗値を自動的に検出する構成としてもよい。
【００６２】
このように本実施の形態によれば、上導電層３の中間部に、内方から検知電極２０が延出する略コの字状の絶縁溝２２を形成すると共に、上導電層３の左端部から延出する上電極１８と、これと対向する右端部から延出する複数の上電極１９Ａと１９Ｂを設けることによって、急激な温度変化によって、上導電層３下面等に結露が発生した場合にも、検知電極２０と上電極１９Ａ、１９Ｂ間の絶縁抵抗値の変化から、絶縁溝２２に生じた結露を検出することができるため、背面の表示素子の表示が見づらくなった状態での誤操作を防ぎ、確実な操作が可能なタッチパネルを得ることができるものである。
【００６３】
なお、以上の説明では、上基板１下面の上導電層３の左端部に上電極１８を、右端部に上電極１９Ａと１９Ｂや検知電極２０を設けた構成について説明したが、図６の分解斜視図に示すように、上導電層３の前端部に上電極１９Ｃと１９Ｄや検知電極２０Ａを、後端部に上電極１８Ａを設けた構成としても、本発明の実施は可能である。
【００６４】
つまり、同図においては、上導電層３前端部の左半分に上電極１９Ｃが、右半分に上電極１９Ｄが、後端部に上電極１８Ａが設けられると共に、上電極１９Ｄと上電極１８Ａの間や内方にはレーザカット加工等によって、上導電層３が取除かれた略Ｌ字状の絶縁溝２３が、上導電層３の中間部には、同じく内方から検知電極２０Ａが延出する略コの字状の絶縁溝２４が形成されている。
【００６５】
また、下導電層４の上導電層３とは直交方向の左右端部には、一対の下電極１６Ａと１６Ｂが形成されると共に、これらの間や内方には下導電層４が取除かれた略Ｔ字状の絶縁溝１７が設けられ、上基板１と下基板２がスペーサ９によって貼り合わされ、上導電層３と下導電層４が所定の間隙を空けて対向した構成となっている。
【００６６】
そして、この場合には、絶縁溝２４によって隔てられた、検知電極２０Ａと上電極１９Ｃ、１９Ｄの間の絶縁抵抗値によって結露の検出が、上電極１８Ａと上電極１９Ｃや１９Ｄ、下電極１６Ａや１６Ｂからの電圧によって押圧位置の検出が、電子回路によって各々行われるようになっている。
【産業上の利用可能性】
【００６７】
本発明によるタッチパネルは、誤操作を防ぎ、確実な操作が可能なものを得ることができるという有利な効果を有し、主に各種電子機器の操作用として有用である。
【符号の説明】
【００６８】
１  上基板
２  下基板
３  上導電層
４  下導電層
６Ａ、６Ｂ  下電極
７  絶縁溝
８  絶縁溝
９  スペーサ
１１Ａ、１１Ｂ、１１Ｃ、１１Ｄ  上電極
１２Ａ、１２Ｂ、１２Ｃ、１２Ｄ  上電極
１３  絶縁溝
１４Ａ、１４Ｂ  絶縁溝
１５  絶縁溝
１６Ａ、１６Ｂ  下電極
１７  絶縁溝
１８、１８Ａ  上電極
１９Ａ、１９Ｂ、１９Ｃ、１９Ｄ  上電極
２０、２０Ａ  検知電極
２１  絶縁溝
２２  絶縁溝
２３  絶縁溝
２４  絶縁溝
【図１】
2012022357.tif 000003
【図２】
2012022357.tif 000004
【図３】
2012022357.tif 000005
【図４】
2012022357.tif 000006
【図５】
2012022357.tif 000007
【図６】
2012022357.tif 000008
【図７】
2012022357.tif 000009
【図８】
2012022357.tif 000010